(57)【要約】【課題】出力センターが利益を確保しつつ、デザインされたままの画像の画像データを顧客に提供することが可能な画像提供サービスシステム及び画像提供方法を提供することにある。【解決手段】所定の注文内容を示す営業条件を予め記憶する第１の記憶手段（条件テーブル２４）と、顧客の注文を受け付け、顧客の注文内容を記憶する第２の記憶手段（データベース２３）と、顧客の注文内容と営業条件とを比較し、顧客の注文内容が営業条件を満たす場合に作業者により作成される画像情報を顧客に提供する制御手段（管理手段２１）とを備えることを特徴とする。【選択図】      図２
2004310565.tif 000002
【特許請求の範囲】
【請求項１】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、
前記サーバーは、
所定の注文内容を示す営業条件を予め記憶する第１の記憶手段と、
前記顧客の注文を受け付け、前記顧客の注文内容を記憶する第２の記憶手段と、
前記顧客の注文内容と前記営業条件とを比較し、前記顧客の注文内容が前記営業条件を満たす場合に前記作業者により作成される画像情報を前記顧客に提供する制御手段とを備えることを特徴とする画像提供サービスシステム。
【請求項２】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、
前記サーバーは、
所定の注文内容を示す営業条件を予め記憶する第１の記憶手段と、
前記顧客の注文を受け付け、前記顧客の注文内容を記憶する第２の記憶手段と、
前記顧客の注文内容と前記営業条件とを比較し、前記顧客の注文内容が前記営業条件を満たす場合に前記作業者により作成される画像情報を前記顧客に提供する制御手段と、
前記制御手段により前記画像情報を前記顧客に提供する場合に、前記作業者により作成される画像情報を提供する旨を前記ユーザ端末に通知する通知手段とを備えることを特徴とする画像提供サービスシステム。
【請求項３】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、
前記サーバーは、
所定の注文内容を示す営業条件を予め記憶する第１の記憶手段と、
前記顧客の注文を受け付け、前記顧客の注文内容を記憶する第２の記憶手段と、
前記顧客の注文内容と前記営業条件とを比較し、前記顧客の注文内容が前記営業条件を満たす場合に前記作業者により作成される画像情報を前記顧客に提供する制御手段と、
前記制御手段により前記画像情報を前記顧客に提供する場合に、前記作業者により作成される画像情報に基づく画像の表示を行う画面情報を前記ユーザ端末の表示画面に表示可能に生成する画面情報生成手段とを備えることを特徴とする画像提供サービスシステム。
【請求項４】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、
前記サーバーは、
複数の注文内容を示す営業条件と、前記注文内容に応じて前記顧客に与える優位差を持たせるための付帯条件とを予め記憶する第１の記憶手段と、
前記顧客の行う注文を受け付け、前記顧客の注文内容を記憶する第２の記憶手段と、
前記顧客の注文内容と前記営業条件とを比較し、前記顧客の注文内容が前記営業条件に示すいずれかの注文内容に該当する場合に、前記付帯条件に基づいて前記作業者により作成される画像情報を前記顧客に提供する制御手段とを備えることを特徴とする画像提供サービスシステム。
【請求項５】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、
前記サーバーは、
複数の注文内容を示す営業条件と、前記注文内容に応じて前記顧客に与える優位差を持たせるための付帯条件とを予め記憶する第１の記憶手段と、
前記顧客の行う注文を受け付け、前記顧客の注文内容を記憶する第２の記憶手段と、
前記顧客の注文内容と前記営業条件とを比較し、前記顧客の注文内容が前記営業条件に示すいずれかの注文内容に該当する場合に、前記付帯条件に基づいて前記作業者により作成される画像情報を前記顧客に提供する制御手段と、
前記制御手段により前記画像情報を前記顧客に提供する場合に、前記付帯条件に基づいて前記作業者により作成される画像情報を提供する旨を前記ユーザ端末に通知する通知手段とを備えることを特徴とする画像提供サービスシステム。
【請求項６】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、
前記サーバーは、
複数の注文内容を示す営業条件と、前記注文内容に応じて前記顧客に与える優位差を持たせるための付帯条件とを予め記憶する第１の記憶手段と、
前記顧客の行う注文を受け付け、前記顧客の注文内容を記憶する第２の記憶手段と、
前記顧客の注文内容と前記営業条件とを比較し、前記顧客の注文内容が前記営業条件に示すいずれかの注文内容に該当する場合に、前記付帯条件に基づいて前記作業者により作成される画像情報を前記顧客に提供する制御手段と、
前記制御手段により前記画像情報を前記顧客に提供する場合に、前記付帯条件に基づいて前記作業者により作成される画像情報に基づく画像の表示を行う画面情報を前記ユーザ端末の表示画面に表示可能に生成する画面情報生成手段とを備えることを特徴とする画像提供サービスシステム。
【請求項７】
前記付帯条件は、前記画像情報の提供を受けることが可能となる日時または前記画像情報の提供を受けるために前記顧客が支払うべき金額差の少なくともいずれか１つにより前記顧客に与える優位差を持たせるものである請求項４乃至請求項６のいずれかに記載の画像提供サービスシステム。
【請求項８】
前記注文内容は、前記プリント物の注文数量、前記注文に応じた金額、または、前記注文の日時のいずれか１つてまたは２つ以上の組み合わせで表される請求項１乃至請求項７のいずれかに記載の画像提供サービスシステム。
【請求項９】
前記注文内容は、前記プリント物の注文数量、前記注文に応じた金額、または、前記注文の日時のいずれか１つまたは２つ以上に対し予め前記管理者側が定める換算規則により与えられるサービスポイントの値である請求項１乃至請求項７のいずれかに記載の画像提供サービスシステム。
【請求項１０】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムで行う画像提供方法であって、
所定の注文内容を示す営業条件を予め記憶する段階と、
前記顧客の注文を受け付ける段階と、
前記顧客の注文内容を記憶する段階と、
前記顧客の注文内容と前記営業条件とを比較する段階と、
前記顧客の注文内容が前記営業条件を満たす場合に前記作業者により作成される画像情報を前記顧客に提供する段階とを含むことを特徴とする画像提供方法。
【請求項１１】
ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムで行う画像提供方法であって、
複数の注文内容を示す営業条件と、前記注文内容に応じて前記顧客に与える優位差を持たせるための付帯条件とを予め記憶する段階と、
前記顧客の行う注文を受け付ける段階と、
前記顧客の注文内容を記憶する段階と、
前記顧客の注文内容と前記営業条件とを比較する段階と、
前記顧客の注文内容が前記営業条件に示すいずれかの注文内容に該当する場合に、前記付帯条件に基づいて前記作業者により作成される画像情報を前記顧客に提供する段階とを含むことを特徴とする画像提供方法。
【発明の詳細な説明】
【０００１】
【発明の属する技術分野】
本発明は、例えば写真画像を入れたポストカード等のデザインを作成するサービスをインターネットなどのネットワークを介して顧客に提供する画像提供サービスシステム及びその画像提供サービスシステムに適用される画像情報提供方法に関する。
【０００２】
【従来の技術】
近年、顧客は、結婚後の挨拶や年賀の挨拶等で写真画像を入れたポストカードを使うことが多くなってきている。また、写真入りの名刺なども多く使われている。この写真画像入りのポストカードや名刺等の作成注文を、インターネットなどを介して行なうネットワークビジネスが提案されている（例えば、特許文献１参照。）。
【０００３】
この場合、ポストカードの注文時に、顧客はポストカードのデザインを例えば規定のレイアウトを選択し、あるいは独自の写真画像の位置や文字情報位置等のレイアウトを決める．文字情報としては、例えば住所、氏名、挨拶文等を入力する。写真画像は、一枚の場合、あるいは複数枚と合成する場合等があり、これらの写真画像を送り、そのデザインを指示する。また、写真画像から不要な背景等の削除や赤目除去等の修正の指示を行なう場合がある。
【０００４】
このような顧客からのデザイン注文に基づき、画像プリントサービスを行う出力センター等では、管理者がデザイナー等の作業者にデザインの作成作業の発注を行ない、デザインの作成作業が終了すると、顧客に顧客が行ったデザイン注文と相違ないかを確認させた後、プリントアウトして顧客へ送るようになっている。
【０００５】
ところで、特許文献１に記載のようなネットワークビジネスでは、デザイン注文と相違ないかの確認を顧客がブラウザソフトによりインターネットを介して顧客の所有する端末に表示させて行うが、このとき顧客の端末に表示される画像にはいわゆる「すかし」や「見本」等の文字を重ねられている場合がある。それは、「すかし」や「見本」等のないデザインされたままの画像を表示してしまえば、顧客が端末に表示された画像をダウンロードして顧客の所有するプリンタ等を用いて印刷することができ、顧客が印刷したポストカード等の注文をしなければ、本来の出力センター等の仕事であるプリントアウトすることが減少し得られるであろう利益が減少または無くなってしまい、ビジネスとしてのうまみが半減してしまうからである。
【０００６】
【特許文献１】
特開２００２−１４９７９３号公報（第１〜８頁、図１〜図１０）
【０００７】
【発明が解決しようとする課題】
しかしながら、年賀状を例にすると、顧客は初めにある枚数の年賀状のプリントアウトを注文し、場合によっては初めに注文した枚数では足りなくなることがあり、そのとき顧客は追加注文を行う。例えばその追加注文が年末に行われれば、出力センターは多忙であるため追加されたプリントアウトの顧客への発送が遅れることがある。また、出力センターの年末年始の休みに係ってしまえばさらに発送が遅れることになる。このような状況になれば、顧客を失うことがある。一方、このような場合に、顧客は自分でプリントアウトすることを望み、そのために「すかし」や「見本」等のないデザインされたままの画像の画像データの提供が望まれる。
【０００８】
また、顧客は、このようにデザインされたポストカードを記念として収集して楽しむ場合がある。また、近年では、ポストカードのみならずポストカードに印刷された画像の画像データを所有するパソコン上に収集して楽しむ顧客も多い。このような顧客は、当然、「すかし」や「見本」等のないデザインされたままの画像の画像データの提供を望む。
【０００９】
本発明は、上記事情に鑑みてなされたものであり、出力センターが利益を確保しつつ、デザインされたままの画像の画像データを顧客に提供することが可能な画像提供サービスシステム及び画像提供方法を提供することにある。
【００１０】
また、画像データを顧客に提供することにより、顧客を満足させて顧客を確保することを目的とする。
【００１１】
【課題を解決するための手段】
上記目的を達成するために、請求項１記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、前記サーバーは、所定の注文内容を示す営業条件を予め記憶する第１の記憶手段と、前記顧客の注文を受け付け、前記顧客の注文内容を記憶する第２の記憶手段と、前記顧客の注文内容と前記営業条件とを比較し、前記顧客の注文内容が前記営業条件を満たす場合に前記作業者により作成される画像情報を前記顧客に提供する制御手段とを備えることを特徴としている。
【００１２】
また、請求項２記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、前記サーバーは、所定の注文内容を示す営業条件を予め記憶する第１の記憶手段と、前記顧客の注文を受け付け、前記顧客の注文内容を記憶する第２の記憶手段と、前記顧客の注文内容と前記営業条件とを比較し、前記顧客の注文内容が前記営業条件を満たす場合に前記作業者により作成される画像情報を前記顧客に提供する制御手段と、前記制御手段により前記画像情報を前記顧客に提供する場合に、前記作業者により作成される画像情報を提供する旨を前記ユーザ端末に通知する通知手段とを備えることを特徴としている。
【００１３】
また、請求項３記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、前記サーバーは、所定の注文内容を示す営業条件を予め記憶する第１の記憶手段と、前記顧客の注文を受け付け、前記顧客の注文内容を記憶する第２の記憶手段と、前記顧客の注文内容と前記営業条件とを比較し、前記顧客の注文内容が前記営業条件を満たす場合に前記作業者により作成される画像情報を前記顧客に提供する制御手段と、前記制御手段により前記画像情報を前記顧客に提供する場合に、前記作業者により作成される画像情報に基づく画像の表示を行う画面情報を前記ユーザ端末の表示画面に表示可能に生成する画面情報生成手段とを備えることを特徴としている。
【００１４】
また、請求項４記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、前記サーバーは、複数の注文内容を示す営業条件と、前記注文内容に応じて前記顧客に与える優位差を持たせるための付帯条件とを予め記憶する第１の記憶手段と、前記顧客の行う注文を受け付け、前記顧客の注文内容を記憶する第２の記憶手段と、前記顧客の注文内容と前記営業条件とを比較し、前記顧客の注文内容が前記営業条件に示すいずれかの注文内容に該当する場合に、前記付帯条件に基づいて前記作業者により作成される画像情報を前記顧客に提供する制御手段とを備えることを特徴としている。
【００１５】
また、請求項５記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、前記サーバーは、複数の注文内容を示す営業条件と、前記注文内容に応じて前記顧客に与える優位差を持たせるための付帯条件とを予め記憶する第１の記憶手段と、前記顧客の行う注文を受け付け、前記顧客の注文内容を記憶する第２の記憶手段と、前記顧客の注文内容と前記営業条件とを比較し、前記顧客の注文内容が前記営業条件に示すいずれかの注文内容に該当する場合に、前記付帯条件に基づいて前記作業者により作成される画像情報を前記顧客に提供する制御手段と、前記制御手段により前記画像情報を前記顧客に提供する場合に、前記付帯条件に基づいて前記作業者により作成される画像情報を提供する旨を前記ユーザ端末に通知する通知手段とを備えることを特徴としている。
【００１６】
また、請求項６記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムであって、前記サーバーは、複数の注文内容を示す営業条件と、前記注文内容に応じて前記顧客に与える優位差を持たせるための付帯条件とを予め記憶する第１の記憶手段と、前記顧客の行う注文を受け付け、前記顧客の注文内容を記憶する第２の記憶手段と、前記顧客の注文内容と前記営業条件とを比較し、前記顧客の注文内容が前記営業条件に示すいずれかの注文内容に該当する場合に、前記付帯条件に基づいて前記作業者により作成される画像情報を前記顧客に提供する制御手段と、前記制御手段により前記画像情報を前記顧客に提供する場合に、前記付帯条件に基づいて前記作業者により作成される画像情報に基づく画像の表示を行う画面情報を前記ユーザ端末の表示画面に表示可能に生成する画面情報生成手段とを備えることを特徴としている。
【００１７】
また、請求項７記載の発明は、前記付帯条件は、前記画像情報の提供を受けることが可能となる日時または前記画像情報の提供を受けるために前記顧客が支払うべき金額差の少なくともいずれか１つにより前記顧客に与える優位差を持たせるものであることを特徴としている。
【００１８】
また、請求項８記載の発明は、前記注文内容は、前記プリント物の注文数量、前記注文に応じた金額、または、前記注文の日時のいずれか１つてまたは２つ以上の組み合わせで表されることを特徴としている。
【００１９】
また、請求項９記載の発明は、前記注文内容は、前記プリント物の注文数量、前記注文に応じた金額、または、前記注文の日時のいずれか１つまたは２つ以上に対し予め前記管理者側が定める換算規則により与えられるサービスポイントの値であることを特徴としている。
【００２０】
また、請求項１０記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムで行う画像提供方法であって、所定の注文内容を示す営業条件を予め記憶する段階と、前記顧客の注文を受け付ける段階と、前記顧客の注文内容を記憶する段階と、前記顧客の注文内容と前記営業条件とを比較する段階と、前記顧客の注文内容が前記営業条件を満たす場合に前記作業者により作成される画像情報を前記顧客に提供する段階とを含むことを特徴としている。
【００２１】
また、請求項１１記載の発明は、ネットワークと、前記ネットワークに接続されたサーバーと、前記ネットワークに接続され顧客がデザイン及びそのデザインを用いたプリント物の注文を行うためのユーザ端末と、前記ネットワークに接続され管理者が前記注文に基づき画像編集作業の発注を行うための管理者端末と、前記ネットワークに接続され作業者が前記発注に基づき画像編集を行い画像情報を作成するための作業者端末とを含む画像提供サービスシステムで行う画像提供方法であって、複数の注文内容を示す営業条件と、前記注文内容に応じて前記顧客に与える優位差を持たせるための付帯条件とを予め記憶する段階と、前記顧客の行う注文を受け付ける段階と、前記顧客の注文内容を記憶する段階と、前記顧客の注文内容と前記営業条件とを比較する段階と、前記顧客の注文内容が前記営業条件に示すいずれかの注文内容に該当する場合に、前記付帯条件に基づいて前記作業者により作成される画像情報を前記顧客に提供する段階とを含むことを特徴としている。
【００２２】
【発明の実施の形態】
以下、本発明に係る画像提供サービスシステムの一例としての実施の形態及びその画像提供サービスシステムで用いられる画像提供方法について、図面を参照しながら詳細に説明する。
【００２３】
（システムの全体構成）
当該画像提供サービスシステムは、例えば顧客が所有する画像素材や予め用意されている画像素材または顧客が希望する文章等の文字素材や予め用意されている定型文等の文字素材を予め用意されているレイアウトや顧客が注文するレイアウトに配置するデザインとそのデザインを用いたプリント物を出力センターに注文し、出力センターの管理者が、その注文の受け付けと作業者であるデザイナーへのデザイン発注を行い、デザイナーが顧客の注文に基づいて画像編集を行い、出力センターまたは外部の店舗等でプリントアウト（印刷）したプリント物を顧客に提供するためのものである。また、本発明は、デザイナーが画像編集して作成した編集画像のコンピュータで扱う電子データである画像情報を顧客の注文が所定の条件を満足した場合に顧客に提供するものである。以下、この画像提供サービスシステムについて、図を参照しつつ詳細に説明する。
【００２４】
［第１の実施の形態］
先ず、本発明に係る第１の実施の形態の画像形成システムの全体の概略構成について、図１を参照して説明する。図１は当該画像提供サービスシステムの構成図である。
【００２５】
図１に示すように、画像提供サービスシステムは、ネットワーク１に、サーバー２と、複数のユーザ端末３ａ、３ｂ、３ｃ・・・と、複数の作業者端末４ａ、４ｂ、４ｃ・・・と、管理者端末５とが接続され構成される。
【００２６】
ネットワーク１は、コンピュータシステム、端末、データ通信設備を相互に接続するものであり、専用回線、公衆回線のような有線での接続でもよいし、通信衛星などを介する無線での接続でもよい。また、いわゆるインターネットなどもこれに含まれる。
【００２７】
ユーザ端末３は、画像提供サービスを享受するために顧客が注文等に用いる端末で、いわゆるパーソナルコンピュータ、携帯情報端末、携帯電話等の文字情報と画像情報の送受信が可能な電子端末機器である。ユーザ端末３は、モニタやＬＣＤ（Ｌｉｑｕｉｄ  Ｃｒｙｓｔａｌ  Ｄｉｓｐｌａｙ）等の表示画面と、キーボードやマウス等の操作部とを備えて、少なくともＷｅｂページを閲覧するためのブラウザ機能を有し、サーバー２から提供される画面情報に基づく画面を表示し、その画面を用いてデザインの注文やそのデザインを印刷した例えばポストカード等の注文を行い、本画像提供サービスを享受するための作業を顧客が行うことができる。また、メールの送受信機能を備えている。
【００２８】
また、ユーザ端末３から、ネットワーク１を介して画像素材等を供給するために、ユーザ端末３が、パーソナルコンピュータや携帯情報端末の場合には、デジタルカメラやスキャナー等と接続し、また、画像を記録した記録媒体をセットして画像の取り込みができることが好ましい。また、携帯電話の場合には、デジタルカメラ機能を備え画像の取り込みを行なうことや他の電子機器からの通信により画像データを受信して画像の取り込みができることが好ましい。
【００２９】
管理者端末５は、顧客からのデザインの注文を受けて、その注文に基づいてデザイン作業の発注等の画像提供サービスの管理をするために管理者が用いる端末で、いわゆるパーソナルコンピュータやワークステーション等である。管理者端末５は、モニタ等の表示画面と、キーボードやマウス等の操作部とを備えて、少なくともＷｅｂページを閲覧するためのブラウザ機能を有し、サーバー２から提供される画面情報に基づく画面を表示し、その画面を用いてデザインの発注の受け付けやその発注に基づくデザイン作業の発注等画像提供サービスを提供するための管理作業を管理者が行うことができる。また、管理作業には後述の営業条件を定めて、サーバー２の後述する条件テーブル２４に記憶させる作業を含む。また、メールの送受信機能を備えている。また、管理者端末５は、出力センターに配置され、プリントアウトするための画像形成装置と接続され、画像編集の終了したデザインをプリントアウトし、顧客へ納入する。
【００３０】
作業者端末４は、デザイン作業を行うためにデザイナーが用いる端末で、いわゆるパーソナルコンピュータやワークステーション等である。作業者端末４は、モニタ等の表示画面と、キーボードやマウス等の操作部とを備えて、少なくともＷｅｂページを閲覧するためのブラウザ機能を有し、サーバー２から提供される画面情報に基づく画面を表示し、デザイン作業により作成した画像情報をサーバー２に送信することができる。また、メールの送受信機能を備えている。
【００３１】
サーバー２は、管理装置であり、その機能ブロック図を図２に示すが、管理手段２１、画面情報生成手段２２、データベース２３、条件テーブル２４、メール作成手段２５、及び、ネットワーク１とのインターフェイスＩ／Ｆ２６を備えている。
【００３２】
管理手段２１は、サーバー２全体の制御を行うとともに、ネットワーク１を介し送信されてくる各種情報や要求を受け付けるとともに各種情報に基づいて、データベース２３のデータの書き換えおよび新しいデータの登録等の更新を行う機能を備えている。また、所定の判定（後述する）を行い、デザイン作業により作成した画像情報を顧客に提供する制御手段としての機能を備えている。
【００３３】
画面情報生成手段２２は、上述の各端末３，４，５からの要求があると、その要求に応じ、各端末３，４，５でブラウザソフトを用いて表示が可能な画面情報、或いは、既に表示されている画面を更新するための画面情報を生成する機能と、それらの画面情報を要求元の端末へインターフェイスＩ／Ｆ２６を介し送信する機能を備えている。また、この機能を用いてデザイナーが作成した画像情報の提供に関する通知を行う本発明の通知手段としての機能を備えている。
【００３４】
データベース２３（第２の記憶手段）は、後述の顧客の注文内容を含む注文に関する情報、デザインの発注に関する情報、注文されたデザインに基づいてデザイナーが作成した画像情報を含む各種画像情報等を記憶する受発注管理テーブル２３ａ、顧顧客に関する情報を記憶する顧客テーブル、デザイナーに関する情報を記憶するデザイナーテーブル等を有する。
【００３５】
条件テーブル２４（第１の記憶手段）は、管理者が顧客に示す営業条件が記憶されている。営業条件は、営業戦略的な目的を有し、デザイン作業により作成した画像情報を顧客に提供するか否かの判断基準となるものである。また、プリント物の注文数量、注文に応じた金額、または、注文の日時などで表されるもので、例えば、「プリント物の注文数量３００枚以上」、「注文金額３０，０００円以上」、「注文日時１１月１５日以前」等である。また、この営業条件は、管理者が管理者端末５を用いるなどして入力しサーバー２へ送信したものを受けて予め記憶されている。
【００３６】
メール作成手段２５は、管理手段２１が受け付けるデザインの発注についての情報やデザイン作業についての情報から、各端末３，４，５に進捗応じて状況を通知するためのメールを作成し送信する機能を備えている。また、この機能を用いてデザイナーが作成した画像情報の提供に関する通知を行う通知手段としての機能を備えている。また、この通知手段としての機能は、上述の画面情報生成手段２２またはメール作成手段２５のいずれか一方または両方に持たせることができる。
【００３７】
（画像提供サービス）
次に、当該画像提供サービスシステムで行う画像提供サービスの手順の一例を説明する。図３は画像提供サービスの工程を示すフローチャート、図４はサーバー２及び各端末３，４，５間の処理・通信の流れを説明する説明図である。
【００３８】
まず、デザイン注文が行われる（図３ステップＳ１０１、以下省略しＳ１０１と記述する。）。デザイン注文は、図４（１）で示すようにユーザ端末３とサーバー２の間で行われる。顧客はユーザ端末３を用いてブラウザを立ち上げてサーバー２にアクセスする。サーバー２は、管理手段２１でこれを受けて、まず顧客の認証のために予め顧客に取得した所定の認証コードが入力可能且つサーバー２への送信を行うためのボタン（画面上のソフトキー。以下ソフトキーをボタンと表記する。）を含む画面の画面情報を画面情報生成手段２２で生成し送信する。顧客はユーザ端末３が所定の認証コードを入力しサーバー２へ送信する。サーバー２は、管理手段２１でこれを受けて、選択可能にされたメニュー等を含む画面（図示せず）の画面情報を画面情報生成手段２２で生成し送信する。そして、ユーザ端末３で画面が表示されて顧客が所望のメニューを選択し、サーバー２はその選択を管理手段２１で受けて選択に基づいて画面情報生成手段２２により画面情報を生成し送信し、ユーザ端末３で画面が更新され、このようなメニュー選択と画面の更新を繰り返すことにより、顧客は注文のための画面を表示させ注文を行う。また、以下、作業や入力を行う画面の各端末３，４，５での表示は、作業者端末４であればデザイナーが取得した所定の認証コード、管理者端末であれば管理者が取得した所定の認証コードを用い上述した顧客が取得した所定の認証コードのやり取りと同様のやり取りがサーバー２との間で行われ、各端末３，４，５からの要求に応じた画面情報が画面情報生成手段２２により生成及び送信され、同様に画面の更新がなされるものであり、認証や画面の更新についての詳細は省略して記述する。
【００３９】
ここで、注文の説明に戻す。例えば、デザインレイアウトを選択するためのデザイン選択画面（図示ぜず）によりデザインレイアウトを選択、文字素材を記入選択するためのコメント選択画面（図示ぜず）により文字素材として予め用意された定型文からの選択やオリジナルコメントの記入を行い、画像素材を選択するための画像選択画面（図示ぜず）により画像素材として予め用意されたキャラクターや景色などの画像からの選択や予めユーザ端末に取り込んでおいた画像から選択しサーバー２へのアップロードなどを行い、プリント物の注文を行うための注文画面（図示せず）をもちいてプリント物の注文数量や、プリント物の届け先などを入力しサーバー２へ送信してデザインの注文を行う。
【００４０】
次に、サーバー２は、受注を行う（Ｓ１０２）。管理手段２１は、上述の注文を受け付けて、受発注管理テーブル２３ａに各種情報を記憶する。例えば、受発注管理テーブル２３ａは、図５に示すような構造をしており、Ｎｏ．１１を例に説明すれば、本発明の顧客の注文内容として「注文数量」には顧客が注文したプリント物の注文数量「５００」、「注文金額」には注文に応じた金額「￥３０，０００」、「注文日時」には顧客が注文した注文日時「２００２／１１／８  １５：３４」が記憶される。またこのほかに、「デザイン注文Ｎｏ．」を例えば「０１１」と付して、「顧客」には注文した顧客を示すコード「Ｃ−０１Ａ」、「選択デザイン」には選択されたデザインレイアウトを示す例えば「ＨＷ−０２１」、「素材（画像素材）」には例えば選択及びアップロードされた画像素材の画像素材ファイルとしての「０１１−１、０１１−２、０１１−３、Ａ−８、Ｃ−２」、「素材（文字素材）」には選択及び記入された文字素材のテキストファイル「０１１−Ｔ１、０１１−Ｔ２、Ａ−Ｔ１」が記憶される。さらにこの他に「完成予定日」、「顧客要望」等が記憶される。このようにして管理手段２１で注文を受け付け、受発注管理テーブル２３ａへの記憶を行うと、メール作成手段２５は、受注した旨を記載したメールを作成し、図４（２）に示すように管理者端末５へそのメールを送信する。
【００４１】
さらに次に、管理者端末５では、このメールを受けた管理者が受注したデザインについての作業をデザイナーに振り分けてデザイン発注を行う（Ｓ１０３）。デザイン発注は、図４（３）で示すように管理者端末５とサーバー２の間で行われる。管理者は、管理者端末５で所定の認証コードによる認証、画面の更新等を行い、デザイン発注のための発注画面（図示せず）によりデザイナーの選択等を行い、デザイン発注を行う。
【００４２】
デザイン発注がなされると、サーバー２の管理手段２１は、そのデザイン発注を受け付けて、図５に示す受発注管理テーブル２３ａの「デザイナー」に発注されたデザイナーを示すコード、例えばＮｏ．１１では「Ｄ−１１１」と「デザイン依頼日」にはデザイン依頼日として例えばＮｏ．１１では「２００２／１１／８」と記憶する。「管理者指示」には発注の際なされた管理者からデザイナーへの指示等が記憶される。このようにして管理手段２１でデザイン発注を受け付け、受発注管理テーブル２３ａへの記憶を行うと、メール作成手段２５は、デザインの発注の旨を記載したメールを作成し、図４（４）に示すように選択されたデザイナー用の作業者端末４へそのメールを送信する。
【００４３】
そして、デザイナーはこのメールを受けて、作業者端末４を用いてデザイン作業を行う（Ｓ１０４）。デザイン作業は、図４（５）で示すように作業者端末４とサーバー２の間で行われる。デザイナーは、作業者端末４で所定の認証コードによる認証、画面の更新等を行い、デザイン作業を行うためのデザイン作業画面（図示せず）を表示する。例えば、デザイン作業画面をもちいて画像素材及び文字素材をダウンロードして作業者端末４に予めインストールされている画像編集ソフトを用いて画像の切り取り、ゴミの除去、色補正等の画像編集を行う。また、例えばデザイン作業画面に画像編集機能を備えておきデザイン作業画面で画像編集を行うようにしてもよい。このようにしてデザイナーは編集画像を作成し、編集画像の画像情報をサーバー２に送信する。
【００４４】
サーバー２は、管理手段２１でこの編集画像の画像情報を受け付け、画像情報を受発注管理テーブル２３ａの「編集画像ファイル」に記憶する。例えば、Ｎｏ．１１では末尾に履歴を表す「−１」を付した画像ファイル「０１１−ＨＷ−０２１−１」として記憶される。また、「デザイナー要望」には画像情報の送信の際なされたデザイナーからの要望等が記憶される。
【００４５】
そして、メール作成手段２５は、デザイン作業が終了した旨を記載したメールを作成し、図４（６）に示すように管理者端末５とユーザ端末３へそのメールを送信する。
【００４６】
そして、顧客及び管理者は、このメールを受けて編集画像について校正を行う（Ｓ１０５）。校正は、図４（７）で示すようにユーザ端末３とサーバー２及び管理者端末５とサーバー２の間で行われる。
【００４７】
管理者は、このメールを受けて管理者端末５で所定の認証コードによる認証、画面の更新等を行い、上述の受発注管理テーブル２３ａに記憶された画像情報としての画像ファイル「０１１−ＨＷ−０２１−１」に基づいて管理者端末５の表示画面に編集画像を表示し、デザイナーが作成した編集画像を見て顧客の希望通りのデザインになっているか、文字間違いや画像等の校正を行う。
【００４８】
一方、顧客は、ユーザ端末３で所定の認証コードによる認証、画面の更新等を行い、上述の受発注管理テーブル２３ａに記憶された画像情報としての画像ファイル「０１１−ＨＷ−０２１−１」に基づいてユーザ端末３の表示画面に編集画像を表示し、デザイナーが作成した編集画像を見て顧客の希望通りのデザインになっているか、文字間違いや画像等の校正を行う。
【００４９】
しかしながら、ユーザ端末３の表示画面に表示される編集画像は、例えば図６に示すような編集画像に「Ｓａｍｐｌｅ」を重ねたものである。それは、顧客が校正のために表示される編集画像をユーザ端末３で取り込んでプリントアウトすることにより、本来出力センターがプリントアウトにより得られるであろう利益が損なわれないようにするためである。
【００５０】
このように校正を行い、編集画像に問題がなければ、問題が無い旨をサーバー２へ例えば編集画像とともに表示されるソフトキー等を用いて送信し、サーバー２の管理手段２１がこれを受け付け校正が終了する。また、修正がある場合には、修正がある旨を同様にしてサーバー２へ送信し、サーバー２の管理手段２１がこれを受け付ける。そして、デザイナーによる編集画像の修正及び管理者、顧客の校正を繰り返す。
【００５１】
そして、校正が終了すると更にプリント物の注文があればその注文数量を追加注文画面（図示せず）を用いて注文し（Ｓ１０６）、追加注文があれば、サーバー２は、管理手段２１でこれを受け、「注文数量」に加算し、さらに追加注文に応じて発生する金額を「注文金額」に加算して記憶する。
【００５２】
そしてプリント発送（Ｓ１０７）がなされ、本プリントサービスは終了する。上述の説明では、プリント物の注文をＳ１０１のデザイン注文時とＳ１０６のプリント注文時で行うように説明したが、追加注文はＳ１０１からＳ１０６の間やＳ１０７プリント発送の後など随時行うことができる。
【００５３】
また、追加注文によるプリント物の数量や、追加注文に応じて発生する金額を受発注管理テーブル２３ａの各欄に加算して記憶するように説明したが、追加注文によって「注文数量」「注文金額」の欄を増やして記憶し、さらに「注文数量合計」「注文金額合計」欄を設けて各数値を合計した値を記憶してもよい。
【００５４】
（画像提供方法）
次に、本実施の形態において行うデザイナーが画像編集して作成した編集画像のコンピュータで扱うための電子データである画像情報を顧客に提供する画像提供方法について図７に示すフローチャートに基づいて説明する。また、以下の説明は、顧客に編集画像を提供するための営業条件に示す注文内容としてプリント物の注文数量を例に説明するが、営業条件はこれに限るものではない。
【００５５】
まず、顧客がユーザ端末３を用いて上述の（画像提供サービス）で説明したデザイン注文時または追加注文によりプリント物が注文されると（Ｓ２０１）、その注文された数量を受発注管理テーブル２３ａの「注文数量」に記憶する（Ｓ２０２）。この場合、上述のように既にある数量が記憶されている場合には加算して記憶するか、または、「注文数量」の欄を増やして記憶し、さらに「注文数量合計」に合計した値を記憶してもよい。
【００５６】
注文数量の記憶がなされると、管理手段２１は、この注文数量（加算して記憶した場合にはその値、「注文数量」の欄を増やして記憶した場合には「注文数量合計」の合計した値）と条件テーブル２４に記憶されている営業条件に示す注文数量とを比較し、注文数量が営業条件に示す注文数量を満たしている場合には、デザイナーが作成した画像情報を顧客に提供する（Ｓ２０３）。例えば、営業条件に示す注文数量が「プリント物の注文数量３００枚以上」であれば、例えば顧客の注文数量が５００枚であれば３００枚以上を満たしているので前述の画像情報の提供がなされ、例えば顧客の注文数量が２００枚であれば３００枚以上を満たさないのでデザイナーが作成した画像情報を提供しない。具体的な画像情報の提供方法は後述する。
【００５７】
ここでは、営業条件を注文数量として説明したが、例えば注文金額とする場合、例えば、「注文金額３０，０００円以上」等の場合にも同様に、顧客の行う注文により受発注管理テーブル２３ａの「注文金額」に記憶される金額と比較すればよい。また、営業条件が注文日時であれば、受発注管理テーブル２３ａの「注文日時」に記憶されるデザイン注文がなされた日時と比較すればよい。例えば、営業条件を「１１月１５日以前」とすれば、デザイン注文がなされた日時が、例えば「１１月１日」であればデザイナーが作成した画像情報を提供し、「１１月１６日以降」であればデザイナーが作成した画像情報を提供しない。さらに、例えばこれらを組み合わせることにより営業条件を、「注文数量３００枚以上、または、注文金額３０，０００円以上」、「注文数量３００枚以上、且つ、注文金額３０，０００円以上」、或いは、「注文日時１１月１５日以前、注文数量３００枚以上、且つ、注文金額３０，０００円以上」などとしてもよい。またさらに、注文数量、注文金額または注文日時について、例えば、注文数量１０枚につき１ポイント、注文金額１，０００円につき１ポイント、注文日時１１月１５日以前には１０ポイントなどの換算規則によりサービスポイントを与えるようにして、例えば営業条件を３０ポイントとして顧客の得たサービスポイントと営業条件の３０ポイントを比較してもよい。勿論、例えば上述のいずれか１つまたは２つについてサービスポイントを設けるようにしてもよい。
【００５８】
また、デザイナーが作成した画像情報の提供方法としては、まず、ユーザ端末３によるダウンロードによる。ダウンロードは、例えばメールにＵＲＬ（Ｕｎｉｆｏｒｍ  Ｒｅｓｏｕｒｃｅ  Ｌｏｃａｔｏｒ）を記載して、これを用いて顧客がユーザ端末３を用いてサーバー２にデザイナーが作成した画像情報のダウンロードを要求し、この要求を管理手段２１が受けて、受発注管理テーブル２３ａの「画像ファイル」に記憶されている画像情報をユーザ端末３に送信することにより行う。または、画面情報にＵＲＬの表示またはソフトキーを表示させこれらを用いて顧客がユーザ端末３を用いてサーバー２にデザイナーが作成した画像情報のダウンロードを要求し、この要求を管理手段２１が受けて、受発注管理テーブル２３ａの「画像ファイル」に記憶されている画像情報をユーザ端末３に送信することにより行う。また別の方法として、ＣＤ−Ｒｏｍ（Ｃｏｍｐａｃｔ  Ｄｉｓｋ  Ｒｅａｄ  Ｏｎｌｙ  Ｍｅｍｏｒｙ）等の記録媒体に管理者がデザイナーが作成した画像情報を記録して送付する等でよい。またさらに別の方法として、デザイナーが作成した画像情報に基づく画像、つまり、上述のような「Ｓａｍｐｌｅ」の表示がない画像を表示する画面情報を生成しユーザ端末３からの要求により画面情報をユーザ端末３に送信し、顧客がユーザ端末３に表示される画像をブラウザ機能によりユーザ端末３に取り込むようにしてもよい。また、デザイナーが作成した画像情報の提供を、ある期日を設けてそれ以降に行うようにすることも可能である。
【００５９】
また、デザイナーが作成した画像情報を顧客に提供する場合に、その旨を顧客に通知してもよい。この通知は、メール作成手段２５によりその旨を記載したメールを作成してユーザ端末３に送信、または、画面情報生成手段２２によりその旨を表示する画面情報を生成しユーザ端末３からの要求により画面情報をユーザ端末３に送信する等で行うことができる。
【００６０】
また、顧客がデザイナーが作成した画像情報の提供を受ける目的として、印刷する場合または顧客の所有するパソコン上に表示させて楽しむ等の場合があるので、デザイナーが作成した画像情報の提供方法として、さらにその目的に応じて、データ量の異なる画像情報を提供するようにしてもよい。つまり、例えば印刷目的の場合には印刷したときに十分な画質が得られるデータ量の異なる画像情報を提供し、例えば表示目的の場合には表示したときに十分な画質が得られるデータ量の異なる画像情報を提供するようにしてもよい。この場合には、目的に応じたデータ量の画像情報をサーバー２に予め用意しておき、上述の顧客がダウンロードするためのメールや画面情報に画像情報のいずれかを選択可能にし、顧客が選択してダウンロードできるようにしておけばよい。
【００６１】
このようにして顧客がデザイナーが作成した画像情報の提供を受けることができる。したがって、顧客はこの画像情報を用いれば出力センター等に追加注文をせずに画像情報を印刷した例えばポストカードを作成することができる。また、記念として顧客の所有するパソコン上に収集し表示させて楽しむことができる。
【００６２】
一方、管理者側は、顧客はデザイナーが作成した画像情報の提供を受けようとするために一定以上の注文をするので、十分な利益を上げることができる。また、プリントアウトで多忙となる時期には、顧客のプリント物の注文に対処できない場合があるが、顧客に画像情報を提供し顧客がプリントアウトすることで対処できる。また、営業条件に注文日時を含ませることにより、デザイン作業が多忙となる時期の前に注文を受けられるようになる。
【００６３】
また、上述の説明では本画像提供サービスシステムの管理端末５を１台として説明したが、複数台の管理端末を備えるようにしてもよい。
【００６４】
［第２の実施の形態］
次に、本発明に係る第２の実施の形態について説明する。なお、以下には第１の実施の形態と実質的に同様の構成については、詳細な説明を省略し、主に異なる点について述べる。
【００６５】
本実施の形態の特徴は、営業条件を複数の注文内容で示し、更に注文内容に応じて顧客に与える優位差を持たせるための付帯条件を設けた点にある。
【００６６】
本実施の形態において条件テーブル２４（第１の記憶手段）には、管理者が顧客に示す営業条件と付帯条件が記憶されている。この営業条件と付帯条件は管理者が顧客に予め示すものである。営業条件は、デザイン作業により作成した画像情報を顧客に提供するか否かの判断基準となるもので、例えば、プリント物の注文数量、注文に応じた金額、または、注文の日時などのいずれか１つまたは２つ以上組み合わせにより示される。例えば一例を図９に、注文数量を図９の「１」から「１０」に分けて示した。付帯条件は、営業戦略的な目的を有するもので、デザイン作業により作成した画像情報の顧客への提供に際し、顧客の注文内容に応じて優位差を持たせるようにするためのものである。例えば、図９に示す一例では、顧客が画像情報の提供を受けるために支払うべき金額差としてある。また、営業条件及び付帯条件は、管理者が管理者端末５を用いるなどして入力しサーバー２へ送信したものを受けて予め記憶されている。
【００６７】
管理手段２１は、受発注管理テーブル２３ａに記憶された顧客の注文内容と条件テーブル２４に記憶された営業条件とを比較し、顧客の注文内容が営業条件に示すいずれかの注文内容に該当する場合に、付帯条件に基づいて前記作業者により作成される画像情報を前記顧客に提供する制御手段としての機能を備えている。
【００６８】
以下、本第２の実施の形態において行うデザイナーが画像編集して作成した編集画像のコンピュータで扱うための画像情報を顧客に提供する画像提供方法について図８に示すフローチャートに基づいて説明する。また、以下の説明は、図９に示す営業条件としてプリント物の注文数量で示し、付帯条件として提供金額を一例にして説明するが、営業条件及び付帯条件はこれに限るものではない。
【００６９】
まず、顧客がユーザ端末３を用いて上述の（画像提供サービス）で説明したデザイン注文時または追加注文によりプリント物が注文されると（Ｓ３０１）、その注文された数量を受発注管理テーブル２３ａの「注文数量」に記憶する（Ｓ３０２）。この場合、第１の実施の形態と同様に既にある数量が記憶されている場合には加算して記憶するか、或いは、「注文数量」の欄を増やして記憶しさらに「注文数量合計」に合計した値を記憶してもよい。
【００７０】
注文数量の記憶がなされると、管理手段２１は、この注文数量（加算して記憶した場合にはその値、「注文数量」の欄を増やして記憶した場合には「注文数量合計」の合計した値）と条件テーブル２４の営業条件に示す注文数量とを比較し、顧客の注文数量が営業条件に示すいずれかの注文数量に該当する場合には、付帯条件に基づいてデザイナーが作成した画像情報を顧客に提供する（Ｓ３０３）。具体的には、顧客の行った注文数量が２５０枚であれば、図９に示す営業条件の「２」の２００〜２９９枚に該当するので、この場合には、顧客が１２，０００円を支払うことによりデザイナーが作成した画像情報の提供がなされ、また、顧客の行った注文数量が１５００枚であれば、図９に示す営業条件の「１０」の１０００枚以上に相当するので、この場合には、顧客は０円で画像情報の提供を受けることができる。また、営業条件は注文数量に限られず、第１の実施の形態同様注文の金額、注文の日時などまたは組み合わせでランク付けすることが可能である。また、画像情報の顧客提供は、第１の実施の形態同様ダウンロード等によって行うことができる。
【００７１】
また、付帯条件に基づいてデザイナーが作成した画像情報を顧客に提供する場合に、その旨を顧客に通知してもよい。この通知は、第１の実施の形態同様メールまたは画面情報を用いればよい。
【００７２】
また、付帯条件については、金額以外にも提供を受けることが可能となる日時で優位差を持たせることが可能である。例えば、注文数量が例えば２００〜２９９枚のランクに相当する場合には１２月２５日以降、営業条件の１０００枚以上を満たす場合には即日のようにすることが可能である。また、さらに、上述の金額と日時を組み合わせてもよい。
【００７３】
このように付帯条件を設けることにより、顧客が好適な条件（デザイナーが作成した画像情報の提供を受けるために支払う金額や提供を受けることが可能となる日時）でデザイナーが作成した画像情報の提供を受けることを望む場合、注文数量や注文金額が多くなるように注文を行うので、管理者側は、多くの利益を得ることが可能となる。また、顧客は、少ない注文数量であっても付帯条件をみたせば（例えば１２，０００円を支払うことにより）、デザイナーが作成した画像情報の提供を受けることができる。
【００７４】
【発明の効果】
以上説明したように本発明によれば、出力センターが利益を確保しつつ、デザイナーが作成した画像情報を顧客に提供することが可能な画像提供サービスシステム及び画像提供方法を提供することができる。
【００７５】
また、デザイナーが作成した画像情報を顧客に提供することにより、顧客を満足させて顧客を確保することができる。
【図面の簡単な説明】
【図１】本発明にかかる画像提供サービスシステムの一実施の形態を示す構成図である。
【図２】第１の実施の形態における画像提供サービスシステムのサーバーの制御構成を示す機能ブロック図である。
【図３】当該画像提供サービスシステムで行う画像提供サービスの工程を示すフローチャート。
【図４】当該画像編集システムを構成するサーバー及び各端末間の処理・通信の流れを説明する説明図である。
【図５】サーバーのデータベースに備える受発注管理テーブル２３ａの構造を示す図である。
【図６】図１に示す画像提供サービスシステムのユーザ端末において表示される画像の一例を表す図である。
【図７】第１の実施の形態における画像提供サービスシステムで行う画像提供方法の工程の一例を示すフローチャートである。
【図８】第２の実施の形態における画像提供サービスシステムで行う画像提供方法の工程の一例を示すフローチャートである。
【図９】図８に示すサーバーの条件テーブルの構成の一例を示す図である。
【符号の説明】
１  ネットワーク
２  サーバー
２１  管理手段
２２  画面情報生成手段
２３  データベース
２４  条件テーブル
２５  メール作成手段
２６  インターフェイスＩ／Ｆ
３  ユーザ端末
４  作業者端末
５  管理者端末
【図１】
2004310565.tif 000003
【図２】
2004310565.tif 000004
【図３】
2004310565.tif 000005
【図４】
2004310565.tif 000006
【図５】
2004310565.tif 000007
【図６】
2004310565.tif 000008
【図７】
2004310565.tif 000009
【図８】
2004310565.tif 000010
【図９】
2004310565.tif 000011